(57)【要約】【課題】  装着者の口腔表面に対する義歯床の密着性を改善すること。【解決手段】  義歯１０の義歯床が人工歯１２を支持する支持床部１４と、支持床部１４の外縁および内縁に連結され歯槽堤に沿うよう延設された頬側部１６ａと内側部１６ｂとを有し、支持床部１４が硬質の樹脂により形成され、頬側部１６ａおよび内側部１６ｂが柔軟な樹脂により形成されている。【選択図】      図１
2005177172.tif 000002
【特許請求の範囲】
【請求項１】
義歯床に人工歯を配列して成る義歯において、
前記義歯床が前記人工歯を支持する支持床部と、前記支持床部の外縁および内縁に連結され歯槽堤に沿うよう延設された頬側部と内側部とを有し、
前記支持床部が硬質の樹脂により形成され、前記頬側部および内側部は、その全体が柔軟な樹脂により形成されていることを特徴とした義歯。
【請求項２】
前記支持床部が硬質アクリル樹脂により形成され、前記頬側部および内側部を形成する材料が軟質アクリル樹脂、ビニル系樹脂およびシリコーンから成る群から選択される請求項１に記載の義歯。
【請求項３】
前記義歯が上顎義歯であり、前記内側部に連結され柔軟な樹脂により形成された蓋面部を更に具備する請求項１または２に記載の義歯。
【請求項４】
前記蓋面部が前記内側部と同じ材料により形成されている請求項３に記載の義歯。
【請求項５】
前記頬側部および内側部は、前記支持床部の支承面沿いに互いに連結されると共に、該支承面に取着されている請求項１から４の何れか１項に記載の義歯。
【発明の詳細な説明】
【技術分野】
【０００１】
本発明は有床義歯に関する。
【背景技術】
【０００２】
従来から有床義歯としては、レジン床義歯と金属床義歯が使用されているが、レジン床義歯であるアクリル床義歯が最も普及している。レジン床義歯は以下のようにして調製されている。すなわち、先ず、(1)義歯使用者の上顎と下顎の一方または双方の口腔内印象を採取し、(2)口腔印象から上顎と下顎の石膏模型を作製し、(3)石膏模型にワックスを適用して蝋型を作製し、(4)蝋型に人工歯を配列して蝋義歯を作製し、(5)蝋義歯を石膏中に埋没し、(6)ワックスを除去し、(7)ワックス除去により形成される空洞内にレジンを注入、充填し、(8)レジンが硬化した後に義歯とレジン床とを掘り出し、(8)研磨、修正して義歯が完成する。
【発明の開示】
【発明が解決しようとする課題】
【０００３】
このように、義歯は装着される口腔組織の形状に適合するように作製される。しかしながら、義歯床、特にその内面形状が口腔組織の形状に完全に適合することは稀であり、義歯床内面が口腔組織表面に密着せずに、義歯がぐらついて使用者の十分な咀嚼を阻害したり、特に上顎義歯の口蓋からの脱離を生じることがある。更には、義歯床内面が口腔組織の一点に集中的に接触して使用者に不快感を与えることもある。こうした問題に対して、しばしば粘着クリームを使用して口蓋への義歯床の粘着性を改善したり、義歯床内面の全体が均一に口腔組織に接触できるようにしている。
【０００４】
然しながら、長期間の義歯使用の間に生ずる使用者の口腔軟組織の変化のために、義歯床は更に口腔組織の形状に適合しなくなる。特に、レジン床義歯としてアクリルを用いる場合や金属床義歯の場合には、義歯床が硬いために歯槽骨の退縮が生じ歯槽堤が痩せ、粘着クリームを用いても義歯床を口腔組織の形状に適合させることができなくなる。こうした場合、義歯床を作り直すか、既存の義歯床内面に柔軟な樹脂層を追加する所謂リベーシングを行う必要がある。
【０００５】
更に、上顎義歯の場合、義歯が脱離しないように、義歯床と口腔組織との密着性を高める必要があるために、義歯床は口蓋全体を覆う蓋面部を有している。そのために、舌が蓋面部に接触したときの硬い舌触りが使用者に不快感を与えたり、食事をおいしく感じられない等の問題が生じる。
【０００６】
本発明は、従来技術の問題点を解決することを技術課題としており、装着者の口腔表面に対する義歯床の密着性を改善した義歯を提供することを目的している。
更に、本発明は、上顎義歯の蓋面部に装着者の舌が接触したときの感触を改善することを目的としている。
【課題を解決するための手段】
【０００７】
請求項１に記載の本発明は、義歯床に人工歯を配列して成る義歯において、前記義歯床が前記人工歯を支持する支持床部と、前記支持床部の外縁および内縁に連結され歯槽堤に沿うよう延設された頬側部と内側部とを有し、前記支持床部が硬質の樹脂により形成され、前記頬側部および内側部が柔軟な樹脂により形成されていることを特徴とした義歯を要旨とする。
【発明を実施するための最良の形態】
【０００８】
以下、添付図面を参照して本発明の好ましい実施形態を説明する。
先ず、図１〜図３を参照すると、本発明を上顎義歯に適用した例が図示されている。本実施形態において義歯１０は上顎義歯または全部床義歯であり、１４本の人工歯１２を支持する支持床部１４と、支持床部１４の外縁に連結され、該義歯１０を装着する使用者の歯槽堤の外側面に沿うように延設された頬側部１６ａと、支持床部１４の内縁に連結され歯槽堤の内側面に沿うように延設された内側部１６ｂ、および、内側部１６ｂの内周面に連結され口蓋に接触する蓋面部１８とを有している。好ましくは、頬側部１６ａおよび内側部１６ｂは、支持床部１４において歯槽堤頂部に対面する支承面１４ａ沿いに互いに連結される。更に、蓋面部１８は、頬側部１６ａおよび内側部１６ｂよりも薄く形成する。なお、内側部１６ｂと蓋面部１８とは継ぎ目のないように連結することが好ましく、添付図面ではその境界は明瞭に示されていない。
【０００９】
本実施形態では、支持床部１４は硬質材料、好ましくは、アクリル樹脂または金属補強部材を埋設したアクリル樹脂から形成され、頬側部１６ａ、内側部１６ｂおよび蓋面部１８は、その全体が軟質材料、好ましくは軟質アクリル樹脂、ビニル系樹脂またはシリコーンから形成することができる。頬側部１６ａ、内側部１６ｂおよび蓋面部１８は、好ましくは同じ材料にて一体成形される。また、支持床部１４は、補強部材として金属部材を埋設してよい。
【００１０】
本実施形態によれば、頬側部１６ａおよび内側部１６ｂが軟質材料により形成されているので、義歯床と歯槽堤との密着性が高まり、義歯１０のぐらつきや脱離を防止可能となる。特に、頬側部１６ａを軟質材料から形成することにより、歯槽堤の正中線に隣接する部分のオーバーハングした形状に適合することが可能となる。更に、頬側部１６ａおよび内側部１６ｂを支持床部１４の支承面１４ａ沿いに互いに連結することにより、歯槽堤頂部が、硬質材料から成る支承面１４ａに接触することが防止され、歯槽骨の退縮を予防または低減することが可能となる。更に、蓋面部１８を軟質材料から形成することにより、蓋面部１８と口蓋との密着性を高めることが可能となると共に、使用者の舌が蓋面部１８に接触したときの舌触りが自然なものとなる。更に、蓋面部１８を可及的に薄く形成することにより、密着性を一層高めかつ舌触りが自然なものとなる。
【００１１】
次に図４、５を参照すると、本発明を下顎義歯に適用した例が図示されている。本実施形態において義歯２０は下顎義歯または部分床義歯であり、上顎義歯１０と同様に、１４本の人工歯２２を支持する支持床部２４と、支持床部２４の外縁および内縁に連結され、装着者の歯槽堤２８の外側面２８ａおよび内側面２８ｂに沿うように延設された頬側部２６ａおよび内側部２６ｂを有している。好ましくは、頬側部２６ａおよび内側部２６ｂは、支持床部２４において歯槽堤頂部２８ｃに対面する支承面２４ａ沿いに互いに連結される。
【００１２】
本実施形態では、支持床部２４は硬質材料、好ましくは、アクリル樹脂または金属補強部材を埋設したアクリル樹脂から形成され、頬側部２６ａおよび内側部２６ｂは、その全体が軟質材料、好ましくは軟質アクリル樹脂、ビニル系樹脂またはシリコーンから形成することができる。頬側部２６ａおよび内側部２６ｂは、好ましくは同じ材料にて一体成形される。また、支持床部２４は、補強部材として金属部材を埋設してよい。
【００１３】
本実施形態によれば、頬側部２６ａおよび内側部２６ｂが軟質材料により形成されているので、義歯床と歯槽堤２８との密着性が高まり、義歯２０のぐらつきや脱離を防止可能となる。特に、頬側部２６ａを軟質材料から形成することにより、歯槽堤２８の正中線に隣接する部分のオーバーハングした形状に適合することが可能となる。更に、頬側部２６ａおよび内側部２６ｂを支持床部２４の支承面２４ａ沿いに互いに連結することにより、歯槽堤頂部２８ｃが、硬質材料から成る支承面２４ａに接触することが防止され、歯槽骨の退縮を予防または低減することが可能となる。
【図面の簡単な説明】
【００１４】
【図１】本発明の好ましい実施形態による上顎義歯の斜視図である。
【図２】図１の上顎義歯の平面図である。
【図３】図２の矢視線III-IIIに沿う断面図である。
【図４】本発明の好ましい実施形態による下顎義歯の斜視図である。
【図５】図４の矢視線V-Vに沿う断面図である。
【符号の説明】
【００１５】
１０…上顎義歯
１２…人工歯
１４…支持床部
１６ａ…頬側部
１６ｂ…内側部
１８…蓋面部
２０…上顎義歯
２２…人工歯
２４…支持床部
２６ａ…頬側部
２６ｂ…内側部
２８…歯槽堤
【図１】
2005177172.tif 000003
【図２】
2005177172.tif 000004
【図３】
2005177172.tif 000005
【図４】
2005177172.tif 000006
【図５】
2005177172.tif 000007